(57)【要約】【課題】チョッパ回路用制御回路およびインバータ回路用制御回路のそれぞれの動作電源がインバータ回路の出力からそれぞれ供給され、瞬停などの誤動作により再動作しなくなることを防止する放電ランプ点灯装置およびこの放電ランプ点灯装置を配設する照明器具を提供する。【解決手段】放電ランプ点灯装置１は、インバータ回路３の起動後、インバータ回路３から出力された高周波電圧を整流平滑して直流電圧を生成し、この直流電圧をチョッパ回路用制御回路５およびインバータ回路用制御回路６にそれぞれの動作電源として供給するとともに、インバータ回路用制御回路６に供給する直流電圧をチョッパ回路用制御回路７に供給する直流電圧よりもチョッパ回路用制御回路５およびインバータ回路用制御回路６のそれぞれの停止電圧の差分以上減じて供給するように構成された動作電源回路８を具備する。【選択図】図１
2006269082.tif 000002
【特許請求の範囲】
【請求項１】
直流電圧をチョッピングして当該チョッピングに応じた直流電圧を出力するチョッパ回路と；
スイッチ素子を備え、このスイッチ素子がオンオフ動作することによりチョッパ回路から出力された直流電圧を高周波電圧に変換して出力するインバータ回路と；
インバータ回路の出力により付勢される放電ランプと；
チョッパ回路のチョッピングを制御するチョッパ回路用制御回路と；
チョッパ回路用制御回路と独立してなり、自身の停止電圧がチョッパ回路用制御回路よりも低く、インバータ回路のスイッチ素子のオンオフ動作を制御するインバータ回路用制御回路と；
インバータ回路用制御回路により制御され、インバータ回路の起動の所定期間にわたり起動電流をインバータ回路用制御回路およびチョッパ回路用制御回路のそれぞれに供給する時限式の起動回路と；
インバータ回路の起動後、インバータ回路から出力された高周波電圧を整流平滑して直流電圧を生成し、この直流電圧をチョッパ回路用制御回路およびインバータ回路用制御回路にそれぞれの動作電源として供給するとともに、インバータ回路用制御回路に供給する直流電圧をチョッパ回路用制御回路に供給する直流電圧よりもチョッパ回路用制御回路およびインバータ回路用制御回路のそれぞれの停止電圧の差分以上減じて供給するように構成された動作電源回路と；
を具備していることを特徴とする放電ランプ点灯装置。
【請求項２】
動作電源回路は、インバータ回路の起動の所定期間にわたり起動回路から起動電流が供給され、この起動電流を順方向に通流するツェナーダイオードを備えており、インバータ回路の起動後、インバータ回路から出力された高周波電圧を整流平滑して生成した直流電圧を前記ツェナーダイオードにより前記差分以上減じさせることを特徴とする請求項１記載の放電ランプ点灯装置。
【請求項３】
請求項１または２記載の放電ランプ点灯装置と；
この放電ランプ点灯装置を配設している照明器具本体と；
を具備していることを特徴とする照明器具。
【発明の詳細な説明】
【技術分野】
【０００１】
本発明は、チョッパ回路およびインバータ回路を具備する放電ランプ点灯装置およびこの放電ランプ点灯装置を配設する照明器具に関する。
【背景技術】
【０００２】
この種の放電ランプ点灯装置は、チョッパ回路を制御するチョッパ回路用制御回路およびインバータ回路を制御するインバータ回路用制御回路を有し、これらチョッパ回路用制御回路およびインバータ回路用制御回路が動作することにより、交流電源電圧を整流平滑して生成した直流電圧をチョッパ回路で例えば昇圧し、チョッパ回路の出力をインバータ回路で高周波電圧に変換して放電ランプを点灯させている。チョッパ回路用制御回路およびインバータ回路用制御回路は、それぞれ交流電源の投入に付随して動作電源が供給されている。
【０００３】
そして、チョッパ回路用制御回路およびインバータ回路用制御回路のそれぞれの動作電源をインバータ回路から供給するように構成された放電ランプ点灯装置が提案されている（例えば、特許文献１参照。）。この従来技術の放電ランプ点灯装置において、インバータ回路用制御回路は、当初、起動回路により動作される。インバータ回路用制御回路が動作することにより、インバータ回路が動作するとともに、起動回路が遮断される。そして、インバータ回路の出力を整流平滑した直流電圧により、インバータ回路用制御回路およびチョッパ回路用制御回路が動作する。
【０００４】
そして、上記放電ランプ点灯装置は、インバータ回路の不動作時に、チョッパ回路用制御回路およびインバータ回路用制御回路に電力が供給されず、かつ、チョッパ回路が動作しないので、省電力化が図られるという利点を有する。
【特許文献１】特開２００１−１３５４９４号公報（第４頁、第４図）
【発明の開示】
【発明が解決しようとする課題】
【０００５】
放電ランプ点灯装置は、放電ランプのランプ電圧の低下や半波放電または不点などの異常状態を検出する保護回路を備え、この保護回路が異常状態を検出したときに、インバータ回路用制御回路がインバータ回路の動作を停止させるとともに、インバータ回路用制御回路にリセット信号が入力されるまで前記停止状態を保持させているものがある。すなわち、例えばランプ交換が行われて前記異常状態がリセットされるまで、インバータ回路用制御回路は、起動回路から遮断される。
【０００６】
また、放電ランプ点灯装置は、インバータ回路用制御回路およびチョッパ回路用制御回路のそれぞれの動作電圧および停止電圧が、通常、それぞれ異なるものである。特に、インバータ回路用制御回路およびチョッパ回路用制御回路をそれぞれワンチップの集積回路に構成したものにおいては、通常、チョッパ回路用制御回路の停止電圧がインバータ回路用制御回路の停止電圧よりも高くなっていることがある。
【０００７】
そして、例えば交流電源の瞬停が発生すると、当該瞬停の期間に、チョッパ回路の出力電圧が低下するので、インバータ回路からの動作電源の直流電圧が低下する。このとき、チョッパ回路用制御回路の停止電圧がインバータ回路用制御回路の停止電圧よりも高いと、チョッパ回路用制御回路の動作がインバータ回路用制御回路よりも先に停止する。そして、インバータ回路用制御回路が停止する前に前記瞬停が解除されることがある。この場合、再びチョッパ回路用制御回路に電源が供給されず、チョッパ回路用制御回路の動作のみが停止することがある。
【０００８】
チョッパ回路用制御回路の動作が停止すると、インバータ回路にはチョッパ回路の入力電圧すなわち交流電源電圧を整流平滑した直流電圧が入力されるので、インバータ回路の出力が低下するとともに、放電ランプの出力が低下する。そして、保護回路の異常状態の検出により、インバータ回路用制御回路はインバータ回路の動作を停止させ、この停止状態をリセット信号が入力されるまで保持させる。インバータ回路の動作を停止させると、放電ランプは消灯する。
【０００９】
上述したように、インバータ回路用制御回路およびチョッパ回路用制御回路の動作電源をインバータ回路の出力からそれぞれ供給していて、チョッパ回路用制御回路の停止電圧がインバータ回路用制御回路の停止電圧よりも高いものであると、例えば交流電源の瞬停が発生したときにチョッパ回路用制御回路の動作が停止し、瞬停が解除したときにチョッパ回路用制御回路が動作しなくなることがある。これにより、例えば放電ランプの寿命末期を検出する保護回路が動作して不点状態を保持するという問題がある。そして、当該不点の保持状態を解除させるために、リセット信号をインバータ回路用制御回路に入力させる手間を要するという問題がある。特に、事務所においては、例えば１灯が不点（消灯）したにも係らず、リセットするために残余の放電ランプも一旦消灯させることになるので、人に違和感や不快感を生じさせるおそれがある。
【００１０】
本発明は、チョッパ回路用制御回路およびインバータ回路用制御回路のそれぞれの動作電源がインバータ回路の出力からそれぞれ供給され、瞬停などの誤動作により再動作しなくなることを防止する放電ランプ点灯装置およびこの放電ランプ点灯装置を配設する照明器具を提供することを目的とする。
【課題を解決するための手段】
【００１１】
請求項１に記載の放電ランプ点灯装置の発明は、直流電圧をチョッピングして当該チョッピングに応じた直流電圧を出力するチョッパ回路と；スイッチ素子を備え、このスイッチ素子がオンオフ動作することによりチョッパ回路から出力された直流電圧を高周波電圧に変換して出力するインバータ回路と；インバータ回路の出力により付勢される放電ランプと；チョッパ回路のチョッピングを制御するチョッパ回路用制御回路と；チョッパ回路用制御回路と独立してなり、自身の停止電圧がチョッパ回路用制御回路よりも低く、インバータ回路のスイッチ素子のオンオフ動作を制御するインバータ回路用制御回路と；インバータ回路用制御回路により制御され、インバータ回路の起動の所定期間にわたり起動電流をインバータ回路用制御回路およびチョッパ回路用制御回路のそれぞれに供給する時限式の起動回路と；インバータ回路の起動後、インバータ回路から出力された高周波電圧を整流平滑して直流電圧を生成し、この直流電圧をチョッパ回路用制御回路およびインバータ回路用制御回路にそれぞれの動作電源として供給するとともに、インバータ回路用制御回路に供給する直流電圧をチョッパ回路用制御回路に供給する直流電圧よりもチョッパ回路用制御回路およびインバータ回路用制御回路のそれぞれの停止電圧の差分以上減じて供給するように構成された動作電源回路と；を具備していることを特徴とする。
【００１２】
本発明および以下の各発明において、特に言及しない限り、各構成は以下による。
【００１３】
「チョッパ回路用制御回路と独立してなるインバータ回路用制御回路」とは、インバータ回路用制御回路およびチョッパ回路用制御回路は、互いに影響することなく動作することを意味する。そして、チョッパ回路用制御回路は、チョッパ回路を制御し、インバータ回路用制御回路は、インバータ回路を制御する。
【００１４】
「停止電圧」とは、チョッパ回路用制御回路およびインバータ回路用制御回路がそれぞれ動作しているときであって、供給されている直流電圧（動作電源）が低下したときに、チョッパ回路用制御回路およびインバータ回路用制御回路のそれぞれの動作が停止するときのそれぞれの直流電圧の電圧値である。
【００１５】
また、チョッパ回路用制御回路およびインバータ回路用制御回路は、動作が停止しているときに、直流電圧（動作電源）が供給され、供給される直流電圧がそれぞれ所定の電圧値（動作電圧）以上に上昇すると動作を開始する。
【００１６】
「動作電源回路がインバータ回路から出力された高周波電圧を整流平滑する」とは、インバータ回路の出力端子に発生する高周波電圧に限らず、インバータ回路の出力側に接続された部品においてインバータ回路から出力された高周波電圧によって発生する電圧を整流平滑することも包含する。
【００１７】
本発明によれば、動作電源回路は、インバータ回路用制御回路に供給する直流電圧をチョッパ回路用制御回路に供給する直流電圧よりもチョッパ回路用制御回路およびインバータ回路用制御回路のそれぞれの停止電圧の差分以上減じて供給するように構成されているので、瞬停などによりインバータ回路の出力が低下し、動作電源回路が生成する直流電圧が低下したときに、チョッパ回路用制御回路よりもインバータ回路用制御回路に供給されている直流電圧（動作電源）がインバータ回路用制御回路の停止電圧まで早く低下するようになる。これにより、チョッパ回路用制御回路が動作しているときに、インバータ回路用制御回路の動作が停止する。そして、インバータ回路用制御回路により起動回路が制御およびリセットされるので、インバータ回路用制御回路が停止することにより、次にチョッパ回路用制御回路も停止する。この結果、瞬停などが解除した電源復帰後に、通常どおり、インバータ回路用制御回路およびチョッパ回路用制御回路が再動作する。すなわち、放電ランプ点灯装置が通常どおり再動作する。
【００１８】
請求項２に記載の放電ランプ点灯装置の発明は、請求項１記載の放電ランプ点灯装置において、動作電源回路は、インバータ回路の起動の所定期間にわたり起動回路から起動電流が供給され、この起動電流を順方向に通流するツェナーダイオードを備えており、インバータ回路の起動後、インバータ回路から出力された高周波電圧を整流平滑して生成した直流電圧を前記ツェナーダイオードにより前記差分以上減じさせることを特徴とする。
【００１９】
ツェナーダイオードには、インバータ回路の起動の所定期間、起動回路からの起動電流がアノード側からカソード側（順方向）に流れ、インバータ回路の起動後、動作電源回路により生成された直流電圧による電流がカソード側からアノード側に流れる。動作電源回路に供給された起動電流は、さらにチョッパ回路用制御回路に供給される。そして、動作電源回路により生成され、ツェナーダイオードのカソード側からアノード側に流れる電流は、インバータ回路用制御回路に供給される。
【００２０】
本発明によれば、前記差分以上のツェナー電圧を有するツェナーダイオードを適宜選定することにより、動作電源回路が容易に構成される。
【００２１】
請求項３に記載の照明器具の発明は、請求項１または２記載の放電ランプ点灯装置と；この放電ランプ点灯装置を配設している照明器具本体と；を具備していることを特徴とする。
【００２２】
本発明によれば、請求項１または２記載の放電ランプ点灯装置を有する照明器具が提供される。
【発明の効果】
【００２３】
請求項１の発明によれば、例えば交流電源の瞬停が発生してインバータ回路の出力が低下し、動作電源回路が生成する動作電源が低下するようなことがあっても、インバータ回路用制御回路の動作がチョッパ回路用制御回路の動作よりも早く停止するので、瞬停の解除された後にインバータ回路用制御回路が再動作しなくなることを防止することができる。
【００２４】
請求項２の発明によれば、チョッパ回路用制御回路およびインバータ回路用制御回路のそれぞれの停止電圧の差分以上のツェナー電圧を有するツェナーダイオードを適宜選定することにより、動作電源回路が容易に構成されるので、放電ランプ点灯装置の設計を容易にすることができる。また、ツェナーダイオードでの消費電力は極めて低いので、例えば抵抗を用いる場合に比べて、省電力を図ることができる。
【００２５】
請求項３の発明によれば、請求項１または２記載の放電ランプ点灯装置を配設するので、例えば交流電源の瞬停によって放電ランプ点灯装置が再動作せず、放電ランプが不所望に消灯されることが防止される照明器具を提供することができる。
【発明を実施するための最良の形態】
【００２６】
以下、本発明の一実施の形態について、図面を参照して説明する。まず、本発明の第１の実施形態について説明する。
【００２７】
図１ないし図３は、本発明の第１の実施形態を示し、図１は放電ランプ点灯装置の概略回路図、図２はインバータ回路用集積回路の概略ブロック図、図３はチョッパ回路用集積回路およびインバータ回路用集積回路のそれぞれの停止電圧および動作電圧を示す特性図である。
【００２８】
図１において、放電ランプ点灯装置１は、チョッパ回路２、インバータ回路３、放電ランプとしての蛍光ランプ４、チョッパ回路用制御回路としてのチョッパ回路用集積回路５、インバータ回路用制御回路としてのインバータ回路用集積回路６、時限式の起動回路７および動作電源回路８を有して構成されている。そして、チョッパ回路２の前段に直流電圧源回路９が設けられ、インバータ回路３の後段に共振回路１０が設けられ、さらに蛍光ランプ４と並列的に電圧検出回路１１が設けられている。
【００２９】
直流電圧源回路９は、商用交流電源Ｖｓにノイズフィルターであるコモンモードチョーク１２を介して整流装置１３の入力側が接続され、整流装置１３の出力側にコンデンサＣ１が接続されている。直流電圧源回路９は、商用交流電源Ｖｓの交流電圧を整流平滑し、直流電圧をコンデンサＣ１の両端間に出力する。コンデンサＣ１の負極側は、コンデンサＣ２を介してアースＥに接続されている。
【００３０】
チョッパ回路２は、コンデンサＣ１の両端間に接続されたインダクタＬ１および電界効果トランジスタＦＥＴ１の直列回路と、電界効果トランジスタＦＥＴ１のドレイン、ソース間に接続された逆流防止用のダイオードＤ１および平滑用コンデンサＣ３の直列回路を有して構成されている。そして、電界効果トランジスタＦＥＴ１のゲートは、チョッパ回路用集積回路５に接続されている。
【００３１】
チョッパ回路用集積回路５は、オンデューティーを変化させて電界効果トランジスタＦＥＴ１のオンオフ動作を制御する。これにより、コンデンサＣ１の両端間に発生している直流電圧はチョッピングされ、当該チョッピングに応じた直流電圧が昇圧されて平滑用コンデンサＣ３の両端間に出力される。
【００３２】
インバータ回路３は、平滑用コンデンサＣ３の両端間に直列的に接続されたスイッチ素子としての電界効果トランジスタＦＥＴ２および電界効果トランジスタＦＥＴ３を有して構成されている。電界効果トランジスタＦＥＴ２および電界効果トランジスタＦＥＴ３のそれぞれのゲート、ソース間は、インバータ回路用集積回路６に接続され、インバータ回路用集積回路６から交互にパルス電圧（駆動電圧）が供給される。これにより、電界効果トランジスタＦＥＴ２および電界効果トランジスタＦＥＴ３が交互にオンオフ動作し、平滑用コンデンサＣ３の両端間に出力された直流電圧が高周波電圧（高周波の矩形波電圧）に変換されて電界効果トランジタＣ３のドレイン、ソース間に出力される。
【００３３】
共振回路１０は、電界効果トランジタＦＥＴ３のドレインおよび蛍光ランプ４のフィラメント電極４ａの電源側間に接続された直流カット用コンデンサＣ４およびインダクタＬ２の直列回路と、フィラメント電極４ａ，４ｂの非電源側間に接続された共振用コンデンサＣ５を有して構成されている。共振回路１０は、電界効果トランジスタＦＥＴ３のドレイン、ソース間に出力された高周波電圧（矩形波電圧）を正弦波状の高流電圧に変換して蛍光ランプ４に印加する。これにより、蛍光ランプ４は、フィラメント電極４ａ，４ｂの予熱後に点灯する。こうして、蛍光ランプ４は、インバータ回路３の出力により付勢される。
【００３４】
蛍光ランプ４のフィラメント電極４ａ，４ｂの電源側間には、抵抗Ｒ１および抵抗Ｒ２の直列回路からなる電圧検出回路１１が接続され、抵抗Ｒ２の両端間電圧がインバータ回路用集積回路６に入力されている。電圧検出回路１１は、蛍光ランプ４の不点や寿命に伴う電圧上昇などの異常状態を検出する。すなわち、蛍光ランプ４のランプ電圧に相関する抵抗Ｒ２の両端間電圧が上限値以上に上昇すると、インバータ回路用集積回路６により、蛍光ランプ４は、異常状態（寿命）と判断される。
【００３５】
インバータ回路用集積回路６は、図２に示すように、発振器１４、停止回路１５、保持回路１６および時限式の起動回路７および電源部１７を有してワンチップで構成されている。
【００３６】
発振器１４は、端子ＮＤ，ＬＯおよび端子ＶＳ，ＨＤからインバータ回路３の電界効果トランジスタＦＥＴ２，ＦＥＴ３のそれぞれのゲート、ソース間に交互にパルス電圧を出力して、電界効果トランジスタＦＥＴ２，ＦＥＴ３を所定の周波数でオンオフ動作させるように構成されている。
【００３７】
停止回路１５は、保持回路１６の出力端子Ｑに接続されており、この出力端子ＱからＨｉｇｈ信号（停止信号）が出力されると、発振器１４などの制御電源を停止させて制御動作を不動作させるように構成されている。この制御動作の不動作により、インバータ回路３の電界効果トランジスタＦＥＴ２，ＦＥＴ３のオンオフ動作が停止する。これにより、蛍光ランプ４は消灯する。
【００３８】
保持回路１６は、入力端子Ｓが端子ＶＣＬを介して電圧検出回路１１に接続されており、電圧検出回路１１の抵抗Ｒ２の両端間電圧が上限値以上に上昇したときに、出力端子ＱからＨｉｇｈ信号を停止回路１５に出力するように構成されている。このＨｉｇｈ信号の出力は、リセット端子Ｒに外部からリセット信号が入力されるまで継続される。そして、リセット端子Ｒにリセット信号が入力されると、出力端子ＱからＬｏｗ信号を出力する。外部からのリセット信号は、端子Ｒｅｓｅｔに入力され、例えば商用交流電源Ｖｓの短時間でのオンオフやリモコン装置からのワイヤレス信号とすることができる。
【００３９】
そして、時限式の起動回路７は、タイマ回路１８、定電流源回路１９およびスイッチＳＷ１を有して構成されている。そして、端子ＶＤＣおよび端子Ｖｃｃ間に、定電流源回路１９およびスイッチＳＷ１が直列的に接続されている。端子ＶＤＣは、チョッパ回路２の平滑用コンデンサＣ３の正極側に接続され、端子Ｖｃｃは、動作電源回路８のツェナーダイオードＺＤ１のアノード側に接続されており、それぞれ動作電源となる直流電圧が印加される。
【００４０】
タイマ回路１８は、インバータ回路３の起動時に、定電流源回路１９から動作電源が供給される。タイマ回路１８は、動作電源が供給されると、スイッチＳＷ１をオンさせるとともに計時を開始し、インバータ回路３の起動の所定期間例えば０．２秒後にスイッチＳＷ１をオフさせる。スイッチＳＷ１がオンしていると、定電流源回路１９を介して端子ＶＤＣおよび端子Ｖｃｃは接続され、スイッチＳＷ１がオフすると、端子ＶＤＣおよび端子Ｖｃｃは接続されなくなる。そして、タイマ回路１８は、スイッチＳＷ１をオンからオフにさせると、動作電源が供給されなくなる。すなわち、タイマ回路１８（起動回路７）は、スイッチＳＷ１がオフしたときに、インバータ回路用制御回路６の制御により、動作電源が遮断されてリセットされる。
【００４１】
また、電源部１７は、端子Ｖｃｃに接続されている。電源部１７は、スイッチＳＷ１がオンしていると、定電流源回路１９を介してチョッパ回路２の平滑用コンデンサＣ３から直流電圧が供給可能となっている。すなわち、起動回路７により、インバータ回路３の起動の所定期間にわたり起動電流がインバータ回路用制御回路６およびチョッパ回路用制御回路５のそれぞれに供給される。そして、スイッチＳＷ１がオフしているときは、動作電源回路８から直流電圧が供給される。電源部１７は、発振器１４、停止回路１５および保持回路１６などに動作電源および制御電源を供給するように構成されている。
【００４２】
図１において、動作電源回路８は、インバータ回路３の出力間である電界効果トランジスタＦＥＴ３のドレイン、ソース間に接続されたコンデンサＣ６、限流用の抵抗Ｒ３、逆流防止用のダイオードＤ２および平滑用コンデンサＣ７の直列回路と、平滑用コンデンサＣ７に並列的に接続されたツェナーダイオードＺＤ１、ツェナーダイオードＺＤ２およびツェナーダイオードＺＤ３の直列回路と、ツェナーダイオードＺＤ２およびツェナーダイオードＺＤ３の直列回路に並列的に接続されたコンデンサＣ８と、コンデンサＣ６および抵抗Ｒ３を介して電界効果トランジスタＦＥＴ３のドレイン、ソース間に接続された還流用のダイオードＤ３を有して構成されている。そして、コンデンサＣ８の正極側がインバータ回路用集積回路６の端子Ｖｃｃに接続され、平滑用コンデンサＣ７の正極側がチョッパ回路用集積回路５に接続されている。
【００４３】
電界効果トランジスタＦＥＴ２がオンし、電界効果トランジスタＦＥＴ３がオフすると、チョッパ回路２の出力電圧である平滑用コンデンサＣ３の両端間電圧がコンデンサＣ６、抵抗Ｒ３、ダイオードＤ２および平滑用コンデンサＣ７の直列回路に印加され、当該直列回路に平滑用コンデンサＣ３からの電流が流れて平滑用コンデンサＣ７が充電され、平滑用コンデンサＣ７の両端間に直流電圧が発生する。このとき、コンデンサＣ６も充電される。また、平滑用コンデンサＣ３の両端間電圧は、コンデンサＣ６、抵抗Ｒ３、ダイオードＤ２、ツェナーダイオードＺＤ１およびコンデンサＣ８の直列回路に印加され、当該直列回路に平滑用コンデンサＣ３からの電流が流れてコンデンサＣ８が充電され、コンデンサＣ８の両端間に直流電圧が発生する。
【００４４】
そして、電界効果トランジスタＦＥＴ２がオフし、電界効果トランジスタＦＥＴ３がオンすると、コンデンサＣ６、電界効果トランジスタＦＥＴ３、ダイオードＤ３および抵抗Ｒ３の閉回路内でコンデンサＣ６の充電電荷による放電電流が流れ、コンデンサＣ６は、抵抗Ｒ３側が正極側となって充電される。そして、電界効果トランジスタＦＥＴ２がオンし、電界効果トランジスタＦＥＴ３がオフすると、上述したようにして、平滑用コンデンサＣ３からの電流およびコンデンサＣ６の放電電流によって平滑用コンデンサＣ７およびコンデンサＣ８がそれぞれ充電される。
【００４５】
平滑用コンデンサＣ７の両端間電圧が３個のツェナーダイオードＺＤ１，ＺＤ２，ＺＤ３の合算ツェナー電圧以上に上昇すると、ツェナーダイオードＺＤ１，ＺＤ２，ＺＤ３がそれぞれ導通して、平滑用コンデンサＣ７は放電される。すなわち、平滑用コンデンサＣ７の両端間電圧は、３個のツェナーダイオードＺＤ１，ＺＤ２，ＺＤ３の合算ツェナー電圧以上に上昇しないものである。
【００４６】
また、コンデンサＣ８の両端間電圧が２個のツェナーダイオードＺＤ２，ＺＤ３の合算ツェナー電圧以上に上昇すると、ツェナーダイオードＺＤ２，ＺＤ３がそれぞれ導通して、コンデンサＣ８は放電される。すなわち、コンデンサＣ８の両端間電圧は、２個のツェナーダイオードＺＤ２，ＺＤ３の合算ツェナー電圧以上に上昇しないものである。こうして、インバータ回路３の出力が整流平滑されて平滑用コンデンサＣ７およびコンデンサＣ８に直流電圧が生成される。
【００４７】
そして、コンデンサＣ８に生成された直流電圧は、平滑用コンデンサＣ７に生成される直流電圧よりもツェナーダイオードＺＤ１のツェナー電圧分減少している。そして、平滑用コンデンサＣ７に生成される直流電圧は、チョッパ回路用集積回路５の動作電源として供給される。また、コンデンサＣ８に生成される直流電圧は、インバータ回路用集積回路６の動作電源として供給される。すなわち、動作電源回路８は、インバータ回路用集積回路６に供給する直流電圧をチョッパ回路用集積回路５に供給する直流電圧よりもツェナーダイオードＺＤ１のツェナー電圧分減じて供給している。
【００４８】
そして、ツェナーダイオードＺＤ１のアノードは、インバータ回路用集積回路６の端子Ｖｃｃに接続されている。ツェナーダイオードＺＤ１には、インバータ回路３の起動の所定期間例えば０．２秒にわたり時限式の起動回路７から起動電流が供給される。起動電流は、ツェナーダイオードＺＤ１のアノードからカソード側（順方向）に通流し、チョッパ回路用集積回路５に供給される。すなわち、起動時、起動回路７により、インバータ回路用集積回路６とともにチョッパ回路用集積回路５に起動電流が供給されて、チョッパ回路用集積回路５およびインバータ回路用集積回路６が動作する。
【００４９】
チョッパ回路用集積回路５は、例えばＳＴマイクロ社製（Ｌ７６７２）が用いられ、図３に示すように、動作電圧が１２Ｖ、停止電圧が１１Ｖである。すなわち、チョッパ回路用集積回路５は、停止している状態において、動作電源回路８の平滑用コンデンサＣ７から供給される直流電圧が１２Ｖ以上になると動作して、チョッパ回路２の電界効果トランジスタＦＥＴ１をオンオフ動作させる。そして、動作している状態において、平滑用コンデンサＣ７から供給される直流電圧が１１Ｖ以下になると動作しなくなる。これにより、電界効果トランジスタＦＥＴ１のオンオフ動作が停止する。
【００５０】
インバータ回路用集積回路６は、汎用のものが用いられ、図３に示すように、例えば動作電圧が１３Ｖ、停止電圧が８Ｖである。インバータ回路用集積回路６は、停止している状態において、動作電源回路８のコンデンサＣ８から供給される直流電圧が１３Ｖ以上になると動作し、動作している状態において、コンデンサＣ８から供給される直流電圧が８Ｖ以下になると動作しなくなる。インバータ回路用集積回路６が動作すると、発振器１４によって、電界効果トランジスタＦＥＴ２，ＦＥＴ３が交互にオンオフ動作され、インバータ回路用集積回路６が動作しなくなると、電界効果トランジスタＦＥＴ２，ＦＥＴ３のオンオフ動作が停止する。
【００５１】
そして、インバータ回路用集積回路６の停止電圧は、チョッパ回路用集積回路５の停止電圧よりも３Ｖ低くなっている。ツェナーダイオードＺＤ１は、そのツェナー電圧がチョッパ回路用集積回路５およびインバータ回路用集積回路６のそれぞれの停止電圧の差分（３Ｖ）以上となるように、例えば４Ｖに設定されている。
【００５２】
そして、チョッパ回路用集積回路５およびインバータ回路用集積回路６は、互いに独立して動作している。すなわち、チョッパ回路用集積回路５はチョッパ回路２を制御し、インバータ回路用集積回路６は、インバータ回路３を制御している。
【００５３】
次に、本発明の第１の実施形態の作用について説明する。
【００５４】
商用交流電源Ｖｓが投入されると、直流電圧源回路９のコンデンサＣ１の両端間に商用交流電源Ｖｓの交流電圧を整流平滑した直流電圧が発生する。チョッパ回路２の電界効果トランジスタＦＥＴ１はオンオフ動作していないので、当該直流電圧は、チョッピングされず、チョッパ回路２の平滑用コンデンサＣ３を充電するとともにインバータ回路用集積回路６の端子ＶＤＣに入力される。当該端子ＶＤＣに入力された直流電圧は、図２に示すように、定電流源回路１９により調整されて出力され、タイマ回路１８を動作させる。定電流源回路１９から出力された直流電圧は、インバータ回路用集積回路６の動作電圧１３Ｖ以上となっている。
【００５５】
タイマ回路１８は、計時を開始するとともに、スイッチＳＷ１をオンさせる。スイッチＳＷ１がオンすると、定電流源回路１９から出力された直流電圧は、電源部１７に供給されるとともに端子Ｖｃｃに出力される。電源部１７は、発振器１４、停止回路１５および保持回路１６などに動作電源および制御電源を供給する。そして、発振器１４は、電界効果トランジスタＦＥＴ２，ＦＥＴ３を所定の周波数でオンオフ動作させる。
【００５６】
端子Ｖｃｃに出力された定電流源回路１９からの直流電圧は、図１に示すように、ツェナーダイオードＺＤ１を介してチョッパ回路用集積回路５に入力される。この入力された直流電圧は、チョッパ回路用集積回路５の動作電圧（１２Ｖ）以上であるので、チョッパ回路用集積回路５が動作する。チョッパ回路用集積回路５は、電界効果トランジスタＦＥＴ１を所定の周波数でオンオフ動作させる。
【００５７】
電界効果トランジスタＦＥＴ１がオンオフ動作することにより、直流電圧源回路９のコンデンサＣ１の両端間に発生している直流電圧は、チョッピングされ、チョッパ回路２の平滑用コンデンサＣ３の両端間に昇圧された直流電圧となって出力される。そして、昇圧された直流電圧は、インバータ回路３に入力される。
【００５８】
インバータ回路３の電界効果トランジスタＦＥＴ２，ＦＥＴ３は、オンオフ動作しているので、前記昇圧された直流電圧は、矩形波の高周波電圧に変換されて電界効果トランジスタＦＥＴ３のドレイン、ソース間に出力される。そして、矩形波の高周波電圧は、共振回路１０により正弦波状の高流電圧に変換されて蛍光ランプ４のフィラメント４ａ，４ｂ間に印加される。これにより、蛍光ランプ４が点灯する。
【００５９】
また、電界効果トランジスタＦＥＴ３のドレイン、ソース間に出力された矩形波の高周波電圧は、動作電源回路８により整流平滑されて、平滑用コンデンサＣ７の両端間およびコンデンサＣ８の両端間にそれぞれ直流電圧を生成させる。この直流電圧が生成されたときに、インバータ回路用集積回路６のタイマ回路１８が所定期間例えば０．２秒を計時して、スイッチＳＷ１をオフさせる。これにより、チョッパ回路用集積回路５およびインバータ回路用集積回路６は、起動回路７（チョッパ回路２の平滑用コンデンサＣ３）から動作電源が供給されなくなる。
【００６０】
そして、動作電源回路８の平滑用コンデンサＣ７の両端間に発生している直流電圧がチョッパ回路用集積回路５に動作電源として供給され、コンデンサＣ８の両端間に発生している直流電圧がインバータ回路用集積回路６に動作電源として供給される。チョッパ回路用集積回路５は、平滑用コンデンサＣ７の両端間の直流電圧が供給されることにより動作を継続し、インバータ回路用集積回路６は、コンデンサＣ８の両端間の直流電圧が供給されることにより動作を継続する。そして、インバータ回路用集積回路６に供給されている直流電圧は、チョッパ回路用集積回路５に供給されている直流電圧よりも、ツェナーダイオードＺＤ１のツェナー電圧（４Ｖ）分低くなっている。
【００６１】
蛍光ランプ４のランプ電圧は、常時、電圧検出回路１１により検出されている。そして、ランプ電圧が所定電圧以上になると、蛍光ランプ４の異常状態（寿命末期）がインバータ回路用集積回路６の保持回路１６で判断され、蛍光ランプ４の異常状態（寿命）が検出される。
【００６２】
蛍光ランプ４の異常状態が検出されると、図２において、保持回路１６の出力端子ＱからＨｉｇｈ信号が停止回路１５に出力され、停止回路１５は、Ｈｉｇｈ信号に応じて発振器１４などの制御電源を停止させて制御動作を不動作させる。これにより、インバータ回路３の電界効果トランジスタＦＥＴ２，ＦＥＴ３のオンオフ動作が停止して、蛍光ランプ４が消灯する。そして、保持回路１６は、ランプ交換をするなどして、リセット端子Ｒに外部からリセット信号が入力されるまでＨｉｇｈ信号の出力を継続させる。
【００６３】
そして、蛍光ランプ４が点灯しているときに、例えば商用交流電源Ｖｓの瞬停が発生すると、チョッパ回路２やインバータ回路３などが動作しているので、瞬停の期間、チョッパ回路２の平滑用コンデンサＣ３の両端間に発生する直流電圧が低下し、インバータ回路３の電界効果トランジスタＦＥＴ３のドレイン、ソース間の発生する矩形波の高周波電圧が低下する。
【００６４】
動作電源回路８の平滑用コンデンサＣ７の充電電荷は、チョッパ回路用集積回路５の動作により消費され、コンデンサＣ８の充電電荷は、インバータ回路用集積回路６の動作により消費されている。したがって、電界効果トランジスタＦＥＴ３のドレイン、ソース間の発生する矩形波の高周波電圧が低下すると、平滑用コンデンサＣ７の両端間の直流電圧およびコンデンサＣ８の両端間の直流電圧がしだいに低下していく。すなわち、平滑用コンデンサＣ７からチョッパ回路用集積回路５に供給される直流電圧がしだいに低下していき、コンデンサＣ８からインバータ回路用集積回路６に供給される直流電圧がしだいに低下していく。
【００６５】
そして、コンデンサＣ８の両端間に発生する直流電圧は、平滑用コンデンサＣ７の両端間に発生する直流電圧よりもツェナーダイオードＺＤ１のツェナー電圧（４Ｖ）分低くなるように設定されているので、図３に示すように、平滑用コンデンサＣ７からチョッパ回路用集積回路５に供給される直流電圧がチョッパ回路用集積回路５の停止電圧（１１Ｖ）に低下する前に、コンデンサＣ８からインバータ回路用集積回路６に供給される直流電圧がインバータ回路用集積回路６の停止電圧（８Ｖ）に低下する。これにより、チョッパ回路用集積回路６の動作が停止する前に、インバータ回路用集積回路６の動作が停止する。すなわち、インバータ回路用集積回路６の電源部１７は、発振器１４、停止回路１５および保持回路１６などに動作電源および制御電源を供給できなくなる。そして、発振器１４により、インバータ回路３の電界効果トランジスタＦＥＴ２，ＦＥＴ３がオンオフ動作されなくなり、インバータ回路３の動作が停止する。
【００６６】
そして、平滑用コンデンサＣ７の両端間に発生する直流電圧がさらに低下して、チョッパ回路用集積回路５の停止電圧（１１Ｖ）に低下すると、チョッパ回路用集積回路５の動作が停止する。これにより、チョッパ回路２の電界効果トランジスタＦＥＴ１はオンオフ動作されなくなり、平滑用コンデンサＣ３の両端間に昇圧された直流電圧が発生しなくなる。
【００６７】
そして、商用交流電源Ｖｓの瞬停が解除されると、チョッパ回路２の平滑用コンデンサＣ３に直流電圧源回路９からの電流が流れ、平滑用コンデンサＣ３の両端間に発生する直流電圧が変化する。平滑用コンデンサＣ３の正極側は、インバータ回路用集積回路６の端子ＶＤＣに接続されているので、平滑用コンデンサＣ３の両端間に発生する直流電圧の変化は、図２に示すように、定電流源回路１９により検出されて、タイマ回路１８に動作電源が供給される。
【００６８】
タイマ回路１８は、動作して、スイッチＳＷ１をオンするとともに、所定時間例えば０．２秒を計時する。以下、上述したように、インバータ回路用集積回路６、チョッパ回路用集積回路５、チョッパ回路２およびインバータ回路３が動作して、動作電源回路８からチョッパ回路用集積回路５およびインバータ回路用集積回路６の動作電源が供給される。
【００６９】
上述したように、商用交流電源Ｖｓに瞬停が発生してチョッパ回路２の出力電圧（平滑用コンデンサＣ３の両端間電圧）が低下したときに、チョッパ回路用集積回路５よりも前にインバータ回路用集積回路６の動作を停止させるので、電圧検出回路１１が蛍光ランプ４の異常状態（ランプ電圧の上昇）を検出することができない。すなわち、保持回路１６によって、発振器１４の停止が保持されない。これにより、商用交流電源Ｖｓの瞬停が解除したときに、再び、インバータ回路用集積回路６が動作されてインバータ回路３を動作させることができる。
【００７０】
図１において、例えばツェナーダイオードＺＤ１が除去され、動作電源回路８からチョッパ回路用集積回路５およびインバータ回路用集積回路６に供給される直流電圧（動作電源）が同一電圧値であると、当該直流電圧が低下したときに、インバータ回路用集積回路６よりも先に、停止電圧の高いチョッパ回路用集積回路５の動作が停止する。
【００７１】
チョッパ回路用集積回路５の動作が停止すると、チョッパ回路２の電界効果トランジスタＦＥＴ１のオンオフ動作は停止される。そして、商用交流電源Ｖｓの瞬停が解除されても、チョッパ回路２の動作が停止しているので、チョッパ回路２の平滑用コンデンサＣ３の両端間に昇圧した直流電圧が発生せず、動作電源回路８から供給される直流電圧が上昇しない。この結果、チョッパ回路用集積回路５は、不動作状態を継続する。
【００７２】
そして、インバータ回路３に入力されるチョッパ回路２の平滑用コンデンサＣ３の両端間電圧は、直流電圧源回路９から出力される直流電圧と略同一となるので、インバータ回路用集積回路６が動作していると、電界効果トランジスタＦＥＴ３のドレイン、ソース間に出力される矩形波の高周波電圧が低下する。そして、共振回路１０の共振作用により、蛍光ランプ４のランプ電圧が上昇する。
【００７３】
蛍光ランプ４のランプ電圧は、電圧検出回路１１により検出されており、インバータ回路用集積回路６の保持回路１６に入力されている。そして、保持回路１６は、ランプ電圧が所定電圧以上に上昇すると、出力端子ＱからＨｉｇｈ信号を停止回路１５に出力する。停止回路１５は、Ｈｉｇｈ信号に応じて発振器１４などの制御電源を停止させて制御動作を不動作させる。これにより、インバータ回路３の電界効果トランジスタＦＥＴ２，ＦＥＴ３のオンオフ動作が停止して、蛍光ランプ４が消灯する。
【００７４】
そして、保持回路１６は、出力したＨｉｇｈ信号をリセット端子Ｒに外部からリセット信号が入力されるまで継続させる。すなわち、商用交流電源Ｖｓに瞬停が発生して、電圧検出回路１１が蛍光ランプ４の異常状態を検出し、インバータ回路用集積回路６が蛍光ランプ４を消灯させると、インバータ回路用集積回路６に外部からリセット信号を入力させない限り、インバータ回路用集積回路６（インバータ回路３）を再動作させることができず、蛍光ランプ４を再点灯させることができない。
【００７５】
このように、インバータ回路用集積回路６よりも先に、チョッパ回路用集積回路５の動作が停止し、インバータ回路用集積回路６の動作が停止する前に、電圧検出回路１１によって蛍光ランプ４の異常状態が検出され、この検出に応じてインバータ回路用集積回路６がインバータ回路３を制御すると、インバータ回路３を再動作させて蛍光ランプ４を再点灯させるために、インバータ回路用集積回路６に外部からリセット信号を入力させる必要があり、手間を要し、煩わしさが発生する。
【００７６】
これに対して、チョッパ回路用集積回路５よりも前にインバータ回路用集積回路６の動作を停止させることにより、電圧検出回路１１による蛍光ランプ４の異常状態の検出に応じてインバータ回路用集積回路６が制御動作することを排除することができ、商用交流電源Ｖｓの瞬停が解除したときに、インバータ回路用集積回路６およびチョッパ回路用集積回路５が通常どおり動作し、インバータ回路３が再動作して、蛍光ランプ４を再点灯させることができる。
【００７７】
そして、チョッパ回路用集積回路５およびインバータ回路用集積回路６のそれぞれの動作電源は、インバータ回路３の出力を整流平滑して供給しているので、インバータ回路３の動作が停止すると、チョッパ回路用集積回路５およびインバータ回路用集積回路６での消費電力が発生しなく、チョッパ回路２も動作しない。すなわち、放電ランプ点灯装置１は、省電力が図られている。
【００７８】
次に、本発明の第２の実施形態について説明する。
【００７９】
図４は、本発明の第２の実施形態を示す照明器具の外観図である。なお、図１と同一部分には同一符号を付して説明は省略する。
【００８０】
図４に示す照明器具２０は、天井などの造営物に設置される直付け照明器具であり、照明器具本体２１が造営物に取り付けられている。照明器具本体２１は、反射面２２ａを有するカバー２２を配設し、その両端に一対のランプソケット２３，２３が設けられている。また、照明器具本体２１は、カバー２２内に放電ランプ用点灯装置２４を配設している。放電ランプ用点灯装置２４は、図１に示す放電ランプ点灯装置１において、蛍光ランプ４が除去されたものである。そして、蛍光ランプ４は、ランプソケット２３，２３に装着されている。
【００８１】
照明器具２０は、図１に示す放電ランプ点灯装置１を配設しているので、商用交流電源Ｖｓの瞬停によって蛍光ランプ４が消灯しても、自動的に再点灯される。
【図面の簡単な説明】
【００８２】
【図１】本発明の第１の実施形態を示す放電ランプ点灯装置の概略回路図。
【図２】同じく、インバータ回路用集積回路の概略ブロック図。
【図３】同じく、チョッパ回路用集積回路およびインバータ回路用集積回路のそれぞれの停止電圧および動作電圧を示す特性図。
【図４】本発明の第２の実施形態を示す照明器具の外観図。
【符号の説明】
【００８３】
１…放電ランプ点灯装置
２…チョッパ回路
３…インバータ回路
４…放電ランプとしての蛍光ランプ
５…チョッパ回路用制御回路としてのチョッパ回路用集積回路
６…インバータ回路用制御回路としてのインバータ回路用集積回路
７…起動回路
８…動作電源回路
２０…照明器具
２１…照明器具本体
【図１】
2006269082.tif 000003
【図２】
2006269082.tif 000004
【図３】
2006269082.tif 000005
【図４】
2006269082.tif 000006